(57)【要約】【課題】辞書検索装置において、表示されたテキスト中の文字を指定して辞書検索する場合に、簡単に所望の単位で分割した語句を検索語として辞書検索することが可能にする。【解決手段】検索対象としたい語句が含まれるテキストの範囲がユーザ操作に応じて選択されると、当該選択範囲Ｈの文字列が構文解析され、辞書の見出し語として存在する語句の単位に分割されて表示される。この際、前記選択範囲Ｈをその範囲内でマルチタッチした各タッチ位置ｔ１，ｔ２をピンチアウトして広げた範囲として選択した場合には、そのピンチアウトのスライドの速度に応じて、ゆっくりの場合には前記構文解析に伴う語句の分割単位が小さく設定されて分割され、素早い場合には逆に大きく設定されて分割される。分割された所望の語句を例えばマルチタッチしそのタッチ位置ｔ１，ｔ２を上と下とにスライドさせると、マルチタッチされた語句（単語）が見出し語検索されて表示される。【選択図】      図５
2014130431.tif 000002
【特許請求の範囲】
【請求項１】
表示部と、
見出し語と当該見出し語の説明情報とを対応付けた辞書データを記憶している辞書記憶手段と、
前記表示部にテキストを表示させるテキスト表示制御手段と、
このテキスト表示制御手段により表示されたテキストの任意の範囲をユーザ操作に応じて選択するテキスト範囲選択手段と、
このテキスト範囲選択手段により任意の範囲のテキストが選択された際に、その選択の仕方を判断する選択仕方判断手段と、
前記テキスト範囲選択手段により選択された範囲のテキストを、前記選択仕方判断手段により判断された選択の仕方に応じた分割単位の語句に分割して表示させる語句分割表示制御手段と、
この語句分割表示制御手段により分割されて表示された語句のうち任意の語句をユーザ操作に応じて指定する分割語句指定手段と、
この分割語句指定手段により指定された語句を見出し語とする説明情報を前記辞書データから検索し前記表示部に表示させる辞書検索表示制御手段と、
を備えたことを特徴とする辞書検索装置。
【請求項２】
前記表示部はタッチパネル式の表示部であって、
前記選択仕方判断手段により判断される選択の仕方は、前記タッチパネルにより検出されるタッチ位置とそのスライドの範囲に応じて判断し、
前記語句の分割単位は、前記スライドの速度に応じて設定される、
ことを特徴とする請求項１に記載の辞書検索装置。
【請求項３】
前記タッチ位置は、マルチタッチのピンチアウトに伴う２点のタッチ位置を含み、
前記スライドの範囲は、当該２点間の範囲を含み、
前記スライドの速度は、前記２点のタッチ位置のピンチアウトに伴うスライドの速度を含む、
ことを特徴とする請求項２に記載の辞書検索装置。
【請求項４】
前記タッチ位置は、シングルタッチに伴う１点のタッチ位置を含み、
前記スライドの範囲は、当該１点のスライド開始位置から終了位置までの範囲を含み、
前記スライドの速度は、前記１点のタッチ位置のスライドの速度を含む、
ことを特徴とする請求項２または請求項３に記載の辞書検索装置。
【請求項５】
前記表示部はタッチパネル式の表示部であって、
前記選択仕方判断手段により判断される選択の仕方は、前記タッチパネルにより検出されるマルチタッチに伴う２点のタッチ位置とそこからのピンチインに伴うスライドに応じて判断し、
前記語句の分割単位は、前記ピンチインに伴うスライドの距離に応じて設定される、
ことを特徴とする請求項１に記載の辞書検索装置。
【請求項６】
前記分割語句指定手段により前記分割された語句のうち任意の語句がユーザ操作に応じて指定された際に、その指定の仕方を判断する指定仕方判断手段を備え、
前記辞書検索表示制御手段は、前記分割語句指定手段により指定された語句を見出し語とする説明情報を前記辞書データから検索し、前記指定仕方判断手段により判断された当該語句の指定の仕方に応じた表示態様で前記表示部に表示させる、
ことを特徴とする請求項１に記載の辞書検索装置。
【請求項７】
前記分割語句指定手段により前記分割された語句のうち任意の語句がユーザ操作に応じて指定された際に、その指定の仕方を判断する指定仕方判断手段を備え、
前記辞書検索表示制御手段は、前記分割語句指定手段により指定された語句を見出し語とする説明情報を前記辞書データから検索し、前記指定仕方判断手段により判断された当該語句の指定の仕方に応じた表示態様で前記表示部に表示させる、
ことを特徴とする請求項２ないし請求項５の何れか１項に記載の辞書検索装置。
【請求項８】
前記指定仕方判断手段は、前記タッチパネルにより検出されるマルチタッチに伴う２点の隣接したタッチ位置が、前記分割された語句のうち何れかの語句に対応する位置でそれぞれ反対の方向にスライドされたかを判断する第１の判断手段を有し、
前記辞書検索表示制御手段は、前記第１の判断手段により前記２点の隣接したタッチ位置が、前記分割された語句のうち何れかの語句に対応する位置でそれぞれ反対の方向にスライドされたと判断された場合に、当該２点の隣接したタッチ位置に対応して指定された語句を見出し語とする説明情報を前記辞書データから検索し前記表示部に表示させる、
ことを特徴とする請求項７に記載の辞書検索装置。
【請求項９】
前記指定仕方判断手段は、前記タッチパネルにより検出されるマルチタッチに伴う２点の隣接したタッチ位置が、前記分割された語句のうち何れか隣接する２つの語句の分割部分に対応する位置でそれぞれ反対の方向にスライドされたかを判断する第２の判断手段を有し、
前記辞書検索表示制御手段は、前記第２の判断手段により前記２点の隣接したタッチ位置が、前記分割された語句のうち何れか隣接する２つの語句の分割部分に対応する位置でそれぞれ反対の方向にスライドされたと判断された場合に、当該２つの語句のそれぞれを見出し語とする２つの説明情報を前記辞書データから検索し、前記表示部の２つの領域に表示させる、
ことを特徴とする請求項７または請求項８に記載の辞書検索装置。
【請求項１０】
前記指定仕方判断手段は、前記タッチパネルにより検出されるシングルタッチに伴う１点のタッチ位置が、前記分割された語句のうち連続する複数の語句に対応する範囲でスライドされたかを判断する第３の判断手段を有し、
前記辞書検索表示制御手段は、前記第３の判断手段により前記１点のタッチ位置が、前記分割された語句のうち連続する複数の語句に対応する範囲でスライドされたと判断された場合に、当該複数の語句のそれぞれを見出し語とする複数の説明情報を前記辞書データから検索し、前記表示部の複数の領域に表示させる、
ことを特徴とする請求項７ないし請求項９の何れか１項に記載の辞書検索装置。
【請求項１１】
前記指定仕方判断手段は、前記タッチパネルにより検出されるマルチタッチに伴う２点のタッチ位置が、前記分割された語句のうち連続する複数の語句を挟んだ位置から一方または他方にスライドされたかを判断する第４の判断手段を有し、
前記辞書検索表示制御手段は、前記第４の判断手段により前記２点のタッチ位置が、前記分割された語句のうち連続する複数の語句を挟んだ位置から一方または他方にスライドされたと判断された場合に、当該複数の語句のそれぞれを見出し語とする複数の説明情報を前記辞書データから検索し、前記表示部の一方または他方に開いた複数の領域に表示させる、
ことを特徴とする請求項７ないし請求項１０の何れか１項に記載の辞書検索装置。
【請求項１２】
表示部と、見出し語と当該見出し語の説明情報とを対応付けた辞書データを記憶しているメモリと、を備えた電子機器のコンピュータを制御するための辞書検索方法であって、
前記表示部にテキストを表示させ、
この表示部に表示されたテキストの任意の範囲をユーザ操作に応じて選択させ、
この任意の範囲のテキストが選択された際に、その選択の仕方を判断し、
前記選択された範囲のテキストを前記選択の仕方に応じた分割単位の語句に分割して表示させ、
この分割されて表示された語句のうち任意の語句をユーザ操作に応じて指定させ、
この指定された語句を見出し語とする説明情報を前記辞書データから検索し前記表示部に表示させること、
からなる辞書検索方法。
【請求項１３】
表示部を備えた電子機器のコンピュータを制御するためのプログラムであって、
前記コンピュータを、
見出し語と当該見出し語の説明情報とを対応付けた辞書データをメモリに記憶させる辞書記憶手段、
前記表示部にテキストを表示させるテキスト表示制御手段、
このテキスト表示制御手段により表示されたテキストの任意の範囲をユーザ操作に応じて選択するテキスト範囲選択手段、
このテキスト範囲選択手段により任意の範囲のテキストが選択された際に、その選択の仕方を判断する選択仕方判断手段、
前記テキスト範囲選択手段により選択された範囲のテキストを前記選択仕方判断手段により判断された選択の仕方に応じた分割単位の語句に分割して表示させる語句分割表示制御手段、
この語句分割表示制御手段により分割されて表示された語句のうち任意の語句をユーザ操作に応じて指定する分割語句指定手段、
この分割語句指定手段により指定された語句を見出し語とする説明情報を前記辞書データから検索し前記表示部に表示させる辞書検索表示制御手段、
として機能させるための辞書検索プログラム。
【請求項１４】
ネットワークを介した通信機能を有するサーバ装置と端末装置からなる辞書検索システムであって、
前記サーバ装置は、
見出し語と当該見出し語の説明情報とを対応付けた辞書データを記憶している辞書記憶手段と、
前記端末装置からユーザ操作に応じて指定された語句の情報を受信する語句情報受信手段と、
この語句情報受信手段により受信された語句を見出し語とする説明情報を前記辞書データから検索し前記端末装置へ送信する検索情報送信手段とを備え、
前記端末装置は、
表示部と、
この表示部にテキストを表示させるテキスト表示制御手段と、
このテキスト表示制御手段により表示されたテキストの任意の範囲をユーザ操作に応じて選択するテキスト範囲選択手段と、
このテキスト範囲選択手段により任意の範囲のテキストが選択された際に、その選択の仕方を判断する選択仕方判断手段と、
前記テキスト範囲選択手段により選択された範囲のテキストを、前記選択仕方判断手段により判断された選択の仕方に応じた分割単位の語句に分割して表示させる語句分割表示制御手段と、
この語句分割表示制御手段により分割されて表示された語句のうち任意の語句をユーザ操作に応じて指定する分割語句指定手段と、
この分割語句指定手段により指定された語句の情報を前記サーバ装置へ送信する語句情報送信手段と、
この語句情報送信手段による前記指定された語句の情報の前記サーバ装置への送信に応答して、当該サーバ装置の検索情報送信手段により送信された当該語句を見出し語とする説明情報を受信し、前記表示部に表示させる検索情報表示制御手段とを備えた、
ことを特徴とする辞書検索システム。
【請求項１５】
請求項１４に記載の辞書検索システムのサーバ装置。
【請求項１６】
請求項１４に記載の辞書検索システムの端末装置。
【請求項１７】
ネットワークを介した通信機能を有するサーバ装置と端末装置からなる辞書検索システムであって、
前記サーバ装置は、
見出し語と当該見出し語の説明情報とを対応付けた辞書データを記憶している辞書記憶手段と、
前記端末装置のユーザ操作に応じて選択されたテキストの情報を受信するテキスト情報受信手段と、
このテキスト情報受信手段により前記ユーザ操作に応じて選択されたテキストの情報が受信された際に、当該ユーザ操作に応じた選択の仕方の情報を受信する選択仕方情報受信手段と、
前記テキスト情報受信手段により受信されたテキストを前記選択仕方情報受信手段により受信された当該テキストの選択の仕方に応じた分割単位の語句に分割する語句分割制御手段と、
この語句分割制御手段により分割されたテキストの分割情報を前記端末装置へ送信する分割情報送信手段と、
この分割情報送信手段により前記テキストの分割情報を送信した後に、前記端末装置からユーザ操作に応じて指定された語句の情報を受信する語句情報受信手段と、
この語句情報受信手段により受信された語句を見出し語とする説明情報を前記辞書データから検索し前記端末装置へ送信する検索情報送信手段とを備え、
前記端末装置は、
表示部と、
この表示部にテキストを表示させるテキスト表示制御手段と、
このテキスト表示制御手段により表示されたテキストの任意の範囲をユーザ操作に応じて選択するテキスト範囲選択手段と、
このテキスト範囲選択手段により任意の範囲のテキストが選択された際に、その選択されたテキストの情報と当該選択の仕方の情報を前記サーバ装置へ送信するテキスト選択情報送信手段と、
このテキスト選択情報送信手段による前記選択されたテキストの情報と選択の仕方の情報の前記サーバ装置への送信に応答して、当該サーバ装置の分割情報送信手段により送信された前記テキストの分割情報を受信する分割情報受信手段と、
この分割情報受信手段により受信されたテキストの分割情報に応じて、前記テキスト範囲選択手段により選択された範囲のテキストを複数の語句に分割して表示させる語句分割表示制御手段と、
この語句分割表示制御手段により分割されて表示された語句のうち任意の語句をユーザ操作に応じて指定する分割語句指定手段と、
この分割語句指定手段により指定された語句の情報を前記サーバ装置へ送信する語句情報送信手段と、
この語句情報送信手段による前記指定された語句の情報の前記サーバ装置への送信に応答して、当該サーバ装置の検索情報送信手段により送信された当該語句を見出し語とする説明情報を受信し、前記表示部に表示させる検索情報表示制御手段とを備えた、
ことを特徴とする辞書検索システム。
【発明の詳細な説明】
【技術分野】
【０００１】
本発明は、ユーザ任意の語句を辞書で検索するための辞書検索装置、辞書検索方法、辞書検索プログラム、辞書検索システム、およびそのサーバ装置、端末装置に関する。
【背景技術】
【０００２】
電子辞書装置において、検索された見出し語の説明情報の表示画面や任意のテキストの表示画面において、任意の語句をカーソルやタッチにより指定し、当該指定の語句を検索語として見出し語検索するジャンプ検索機能がある。
【０００３】
このジャンプ検索機能では、指定された語句を先頭に最長の範囲で分割された一纏まりの語句が検索語となって見出し語検索されるものであるため、例えば表示されているテキスト「…神武天皇…」の「神」を指定した場合、ユーザが「神武」について検索したくても「神武天皇」が検索語となって見出し語検索される。
【０００４】
従来の情報表示制御装置（電子辞書装置）であって、ドイツ語の複合名詞を検索語として入力すると、当該複合名詞を構成する複数の名詞について、それぞれ辞書検索してその説明情報を表示することが考えられている（例えば、特許文献１参照。）。
【０００５】
従来の辞書検索装置（電子辞書装置）であって、テキスト表示画面上で指定された文字と先頭一致する見出し語、後方一致する見出し語、中間一致する見出し語、指定文字自体で一致する見出し語を、最長一致の順で検索して一覧表示することが考えられている（例えば、特許文献２参照。）。
【先行技術文献】
【特許文献】
【０００６】
【特許文献１】特許第３８２９８０１号公報
【特許文献２】特開２００７−２５７１８９号公報
【発明の概要】
【発明が解決しようとする課題】
【０００７】
従来の電子辞書装置では、表示されたテキスト中の文字を指定して辞書検索する場合に、簡単な操作で、所望の文字列の単位に区切った語句を検索語として辞書検索することができなかった。
【０００８】
本発明は、このような課題に鑑みなされたもので、表示されたテキスト中の文字を指定して辞書検索する場合に、簡単に所望の単位で分割した語句を検索語として辞書検索することが可能になる辞書検索装置、辞書検索方法、辞書検索プログラム、辞書検索システム、およびそのサーバ装置、端末装置を提供することを目的とする。
【課題を解決するための手段】
【０００９】
本発明に係る辞書検索装置は、表示部と、見出し語と当該見出し語の説明情報とを対応付けた辞書データを記憶している辞書記憶手段と、前記表示部にテキストを表示させるテキスト表示制御手段と、このテキスト表示制御手段により表示されたテキストの任意の範囲をユーザ操作に応じて選択するテキスト範囲選択手段と、このテキスト範囲選択手段により任意の範囲のテキストが選択された際に、その選択の仕方を判断する選択仕方判断手段と、前記テキスト範囲選択手段により選択された範囲のテキストを前記選択仕方判断手段により判断された選択の仕方に応じた分割単位の語句に分割して表示させる語句分割表示制御手段と、この語句分割表示制御手段により分割されて表示された語句のうち任意の語句をユーザ操作に応じて指定する分割語句指定手段と、この分割語句指定手段により指定された語句を見出し語とする説明情報を前記辞書データから検索し前記表示部に表示させる辞書検索表示制御手段と、を備えたことを特徴としている。
【００１０】
本発明に係る辞書検索方法は、表示部と、見出し語と当該見出し語の説明情報とを対応付けた辞書データを記憶しているメモリと、を備えた電子機器のコンピュータを制御するための辞書検索方法であって、前記表示部にテキストを表示させ、この表示部に表示されたテキストの任意の範囲をユーザ操作に応じて選択させ、この任意の範囲のテキストが選択された際に、その選択の仕方を判断し、前記選択された範囲のテキストを前記選択の仕方に応じた分割単位の語句に分割して表示させ、この分割されて表示された語句のうち任意の語句をユーザ操作に応じて指定させ、この指定された語句を見出し語とする説明情報を前記辞書データから検索し前記表示部に表示させること、を特徴としている。
【００１１】
本発明に係る辞書検索プログラムは、表示部を備えた電子機器のコンピュータを制御するためのプログラムであって、前記コンピュータを、見出し語と当該見出し語の説明情報とを対応付けた辞書データをメモリに記憶させる辞書記憶手段、前記表示部にテキストを表示させるテキスト表示制御手段、このテキスト表示制御手段により表示されたテキストの任意の範囲をユーザ操作に応じて選択するテキスト範囲選択手段、このテキスト範囲選択手段により任意の範囲のテキストが選択された際に、その選択の仕方を判断する選択仕方判断手段、前記テキスト範囲選択手段により選択された範囲のテキストを前記選択仕方判断手段により判断された選択の仕方に応じた分割単位の語句に分割して表示させる語句分割表示制御手段、この語句分割表示制御手段により分割されて表示された語句のうち任意の語句をユーザ操作に応じて指定する分割語句指定手段、この分割語句指定手段により指定された語句を見出し語とする説明情報を前記辞書データから検索し前記表示部に表示させる辞書検索表示制御手段、として機能させることを特徴としている。
【００１２】
本発明に係る辞書検索システムは、ネットワークを介した通信機能を有するサーバ装置と端末装置からなる辞書検索システムであって、
前記サーバ装置は、見出し語と当該見出し語の説明情報とを対応付けた辞書データを記憶している辞書記憶手段と、前記端末装置からユーザ操作に応じて指定された語句の情報を受信する語句情報受信手段と、この語句情報受信手段により受信された語句を見出し語とする説明情報を前記辞書データから検索し前記端末装置へ送信する検索情報送信手段とを備え、
前記端末装置は、表示部と、この表示部にテキストを表示させるテキスト表示制御手段と、このテキスト表示制御手段により表示されたテキストの任意の範囲をユーザ操作に応じて選択するテキスト範囲選択手段と、このテキスト範囲選択手段により任意の範囲のテキストが選択された際に、その選択の仕方を判断する選択仕方判断手段と、前記テキスト範囲選択手段により選択された範囲のテキストを、前記選択仕方判断手段により判断された選択の仕方に応じた分割単位の語句に分割して表示させる語句分割表示制御手段と、この語句分割表示制御手段により分割されて表示された語句のうち任意の語句をユーザ操作に応じて指定する分割語句指定手段と、この分割語句指定手段により指定された語句の情報を前記サーバ装置へ送信する語句情報送信手段と、この語句情報送信手段による前記指定された語句の情報の前記サーバ装置への送信に応答して、当該サーバ装置の検索情報送信手段により送信された当該語句を見出し語とする説明情報を受信し、前記表示部に表示させる検索情報表示制御手段とを備えた、ことを特徴としている。
【発明の効果】
【００１３】
本発明によれば、表示されたテキスト中の文字を指定して辞書検索する場合に、簡単に所望の単位で分割した語句を検索語として辞書検索することが可能になる。
【図面の簡単な説明】
【００１４】
【図１】本発明の辞書検索装置の実施形態に係る電子辞書装置１０の外観構成を示す正面図。
【図２】前記電子辞書装置１０の電子回路の構成を示すブロック図。
【図３】本発明の辞書検索装置の他の実施形態に係る辞書機能を備えたタッチパネル式ＰＤＡ１０Ｔの外観構成を示す正面図。
【図４】前記電子辞書装置１０の語句分割処理を示すフローチャート。
【図５】前記電子辞書装置１０の語句分割処理に伴うタッチパネル式表示部１７での表示動作（実施例１）を示す図。
【図６】前記電子辞書装置１０の語句分割処理に伴うタッチパネル式表示部１７での表示動作（実施例２）を示す図。
【図７】前記電子辞書装置１０の語句分割処理に伴うタッチパネル式表示部１７での表示動作（実施例３）を示す図。
【図８】前記電子辞書装置１０の語句統合処理を示すフローチャート。
【図９】前記電子辞書装置１０の語句統合処理に伴うタッチパネル式表示部１７での表示動作（実施例１）を示す図。
【図１０】前記電子辞書装置１０の語句分割処理に伴うタッチパネル式表示部１７での表示動作（実施例２）を示す図。
【図１１】前記電子辞書装置１０の単語検索処理を示すフローチャート。
【図１２】前記電子辞書装置１０の単語検索処理に伴うタッチパネル式表示部１７での表示動作（実施例１）を示す図。
【図１３】前記電子辞書装置１０の単語検索処理に伴うタッチパネル式表示部１７での表示動作（実施例２）を示す図。
【図１４】前記電子辞書装置１０の単語検索処理に伴うタッチパネル式表示部１７での表示動作（実施例３−１）を示す図。
【図１５】前記電子辞書装置１０の単語検索処理に伴うタッチパネル式表示部１７での表示動作（実施例３−２）を示す図。
【図１６】前記電子辞書装置１０の単語検索処理に伴うタッチパネル式表示部１７での表示動作（実施例４−１）を示す図。
【図１７】前記電子辞書装置１０の単語検索処理に伴うタッチパネル式表示部１７での表示動作（実施例４−２）を示す図。
【発明を実施するための形態】
【００１５】
以下図面により本発明の実施の形態について説明する。
【００１６】
図１は、本発明の辞書検索装置の実施形態に係る電子辞書装置１０の外観構成を示す正面図である。
【００１７】
この辞書検索装置は、以下に説明する電子辞書専用の携帯機器（電子辞書装置１０）として構成されるか、辞書機能を備えたタッチパネル式ＰＤＡ(personal digital assistants)１０Ｔ（図３参照）、ＰＣ(personal computer)、携帯電話、電子ブック、携帯ゲーム機等として構成される。
【００１８】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、［訳／決定］キー１４ｃ、［戻る／リスト］キー１４ｄ、カーソルキー１４ｅ、［ジャンプ］キー１４ｆ、スピーカ１５などを備えたキー入力部（キーボード）１４、および手書き入力部（サブ画面）１６が備えられる。
【００１９】
この手書き入力部（サブ画面）１６は、ユーザがペンや指等でタッチした位置を検出する（マルチタッチも含む）タッチ位置検出装置と表示装置が一体となった構造であり、キー入力部１４の中央手前側において例えば２５６×６４ドットのカラー液晶表示画面１６ｄに透明タッチパネル１６ｔを重ねて構成される。この手書き入力部（サブ画面）１６の入力領域は、必要に応じて、手書き文字を入力するための手書き文字（漢字）入力領域や各種機能のアイコン入力領域、あるいは当該各入力領域が混在する領域に切り替えられる。
【００２０】
そして、前記手書き入力部（サブ画面）１６が手書き文字入力領域に切り替えられた状態での手書き入力に伴う軌跡はその液晶表示画面１６ｄにエコーバックして表示される。
【００２１】
また蓋体ケース１２の表面には、そのほぼ全面を対象に例えば４８０×３２０ドットのバックライト付きのタッチパネル式カラー表示部（メイン画面）１７が設けられる。このタッチパネル式カラー表示部（メイン画面）１７も、前記手書き入力部（サブ画面）１６と同様に、ユーザがペンや指等でタッチした位置を検出する（マルチタッチも含む）タッチ位置検出装置と表示装置が一体となった構造であり、カラー液晶表示画面１７ｄに透明タッチパネル１７ｔを重ねて構成される。
【００２２】
そして、この電子辞書装置１０は、例えば次のような辞書検索機能を有する。
【００２３】
タッチパネル式表示部（メイン画面）１７に任意の辞書情報やテキストデータを表示させたテキスト表示画面（ここでは、説明情報表示画面ＧＳ）において、ユーザ操作ｍ１，ｍ２に応じたタッチ位置ｔ１，ｔ２間の文字列を構文解析し、辞書データの見出し語との一致／不一致を判断して分割可能な文字列単位の語句ｗ１〜ｗ６に分割する機能（分割記号“／”）、当該語句の分割単位をそのタッチ操作ｍ１，ｍ２の速度や距離に応じて変更する機能、分割された語句を指定して辞書検索しその説明情報を表示させる機能等を有する。
【００２４】
よって、タッチパネル式表示部１７に表示されたテキスト中の文字を指定して辞書検索する場合に、簡単に所望の単位で分割した語句を検索語として辞書検索することが可能である。
【００２５】
図２は、前記電子辞書装置１０の電子回路の構成を示すブロック図である。
【００２６】
この電子辞書装置１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００２７】
ＣＰＵ２１は、メモリ２２内に予め記憶された装置制御プログラム、あるいはＲＯＭカードなどの外部記録媒体２３から記録媒体読取部２４を介して前記メモリ２２に読み込まれた装置制御プログラム、あるいはインターネットＮ上のＷｅｂサーバ（この場合はプログラムサーバ）３０から通信部２５を介して前記メモリ２２に読み込まれた装置制御プログラムに応じて、回路各部の動作を制御する。
【００２８】
前記メモリ２２に記憶された装置制御プログラムは、キー入力部１４、手書き入力部（サブ画面）１６、タッチパネル式カラー表示部（メイン画面）１７からのユーザ操作に応じた入力信号、あるいは通信部２５を介して接続されるインターネットＮ上の各Ｗｅｂサーバ３０，３１，…との通信信号、あるいは記録媒体読取部２４を介して外部接続されるＥＥＰＲＯＭ，ＲＡＭ，ＲＯＭなどのメモリ・カード（記録媒体）２３との接続通信信号に応じて起動される。
【００２９】
前記ＣＰＵ２１には、前記メモリ２２、記録媒体読取部２４、通信部２５、キー入力部１４、スピーカ１５、手書き入力部（サブ画面）１６、タッチパネル式カラー表示部（メイン画面）１７などが接続される。
【００３０】
メモリ２２に記憶される装置制御プログラムとしては、当該電子辞書装置１０の全体の動作を司るシステムプログラムや、通信部２５を介してインターネットＮ上の各Ｗｅｂサーバ３０，３１，…や図示しないユーザＰＣ(Personal Computer)などとデータ通信するための通信プログラムが記憶される。
【００３１】
また、辞書情報や各種テキストデータの表示だけでなく、検索語（文字列）の入力に応じて見出し語を検索する見出し語検索処理、検索された見出し語に対応した説明情報（語義・訳語・例文・解説など）の読み出し表示処理、表示された説明情報やテキストの中のユーザ任意の文字列の範囲をタッチして選択した際に、選択範囲の文字列を構文解析し分割可能な文字単位の語句に分割して表示させると共に、当該語句の分割単位をそのタッチ操作の速度や距離に応じて変更する語句分割処理、分割された語句をタッチ操作に応じて統合する語句統合処理、分割された語句を指定して辞書検索しその説明情報を表示させる単語検索処理など、同メモリ２２内に記憶された辞書データベース２２ｂ、テキストデータベース２２ｃに基づく処理全般を制御するための各種情報表示制御プログラム２２ａが記憶される。
【００３２】
前記辞書データベース２２ｂには、［国語辞書］［英和辞書］［英英辞書］［和英辞書］等の複数種類の辞書データが予めあるいはダウンロードされて記憶されるもので、各辞書データには、例えば、５０音順やアルファベット順の見出し語に対応付けられて、当該見出し語の語義や訳語、例文、解説などからなる説明情報が集録されている。
【００３３】
前記テキストデータベース２２ｃには、様々なジャンルの文芸作品や報道記録、歴史演説集などのテキストデータが予めあるいはダウンロードされて記憶される。
【００３４】
また、前記メモリ２２のワークエリアには、タッチ位置データメモリ２２ｄ、タッチ範囲データメモリ２２ｅ、構文解析分割データメモリ２２ｆ、検索語データメモリ２２ｇ、検索結果データメモリ２２ｈが確保される。
【００３５】
前記タッチ位置データメモリ２２ｄには、前記手書き入力部（サブ画面）１６やタッチパネル式表示部（メイン画面）１７の透明タッチパネル１６ｔ，１７ｔにより検出されるタッチ位置ｔ１，ｔ２，…のｘｙ座標がその所定のサンプリング周期でリアルタイムに更新されて記憶される。
【００３６】
前記タッチ範囲データメモリ２２ｅには、ユーザ操作に応じたシングルタッチ位置ｔのスライド範囲（始点〜終点）に応じて選択された文字列データ、あるいはユーザ操作に応じたマルチタッチ位置ｔ１，ｔ２に応じた範囲の文字列データが記憶される。
【００３７】
前記構文解析分割データメモリ２２ｆには、前記タッチ範囲データメモリ２２ｅに記憶された文字列データが、構文解析され、前記辞書データの見出し語との一致／不一致を判断して分割可能な単位の語句に分割（分割記号“／”）されて記憶される。
【００３８】
前記検索語データメモリ２２ｇには、ユーザによって選択された辞書の辞書検索画面において、その検索語入力エリアに入力された検索語が記憶される。またこの検索語データメモリ２２ｇには、前記構文解析分割データメモリ２２ｆに分割可能な単位の語句に分割されて記憶された文字列データを対象に、ユーザ操作に応じて指定された語句が検索語として記憶される。
【００３９】
前記検索結果データメモリ２２ｈには、前記検索語データメモリ２２ｇに記憶された検索語に対応する見出し語とその説明情報が前記辞書データから検索されて記憶される。
【００４０】
このように構成された電子辞書装置１０は、ＣＰＵ２１が前記情報表示制御プログラム２２ａ（見出し語検索処理、説明情報表示処理、語句分割処理、語句統合処理、単語検索処理等を実行するためのプログラムを含む）に記述された命令に従い回路各部の動作を制御し、ソフトウエアとハードウエアとが協働して動作することにより、以下の動作説明で述べる機能を実現する。
【００４１】
なお、この辞書検索装置の実施形態は、電子辞書装置１０により実現した場合について説明しているが、例えば図３に示すように、辞書機能を備えたタッチパネル式ＰＤＡ１０Ｔにても、前記情報表示制御プログラム２２ａの各処理に応じた入力および表示動作を、タッチパネル式カラー表示部１７（１７ｄ，１７ｔ）においてタッチ入力および各種のウインドウとして表示させることで実現可能であるのは勿論である。
【００４２】
図３は、本発明の辞書検索装置の他の実施形態に係る辞書機能を備えたタッチパネル式ＰＤＡ１０Ｔの外観構成を示す正面図である。
【００４３】
この図３におけるタッチパネル式ＰＤＡ１０Ｔでは、前記語句分割処理に対応した表示動作を示している。
【００４４】
例えば、前記図１で示した電子辞書装置１０のタッチパネル式カラー表示部（メイン画面）１７に表示させた説明情報表示画面ＧＳは、このタッチパネル式ＰＤＡ１０Ｔにおいて、説明情報表示ウインドウＧＳｗとして表示されている。
【００４５】
すなわち、任意のテキストを表示させたテキスト表示ウインドウＧＴｗにおいて、所望の語句「日本」を指定して反転表示ｈさせ、辞書検索を実行すると、例えば［国語辞書］の辞書データから検索された見出し語「日本」の説明情報を読み出した説明情報表示ウインドウＧＳｗが表示される。
【００４６】
このタッチパネル式ＰＤＡ１０Ｔであっても、前記電子辞書装置１０と同様に、タッチパネル式表示部１７に表示させた説明情報表示ウインドウＧＳｗにおいて、ユーザ操作ｍ１，ｍ２に応じたタッチ位置ｔ１，ｔ２間の文字列を構文解析し、前記辞書データの見出し語との一致／不一致を判断して分割可能な文字列単位の語句ｗ１〜ｗ６に分割する機能（分割記号“／”）、当該語句の分割単位をそのタッチ操作ｍ１，ｍ２の速度や距離に応じて変更する機能、分割された語句を指定して辞書検索しその説明情報を表示させる機能等を有する。
【００４７】
よって、タッチパネル式表示部１７に表示されたテキスト中の文字を指定して辞書検索する場合に、簡単に所望の単位で分割した語句を検索語として辞書検索することが可能である。
【００４８】
次に、前記構成の電子辞書装置１０のテキスト表示画面上での範囲指定に伴う語句分割機能、分割語句の統合機能、およびその単語検索機能について説明する。
【００４９】
（語句分割機能）
図４は、前記電子辞書装置１０の語句分割処理を示すフローチャートである。
【００５０】
図５は、前記電子辞書装置１０の語句分割処理に伴うタッチパネル式表示部１７での表示動作（実施例１）を示す図である。
【００５１】
例えば、図５（Ａ）に示すように、辞書データベース２２ｂに記憶された［国語辞書］の辞書データから検索された見出し語「日本」に対応する説明情報の表示画面ＧＳが、タッチパネル式表示部１７に表示されている。
【００５２】
この説明情報表示画面ＧＳの表示状態で、その一行目の文字列に含まれる任意の語句を辞書検索する場合に、図５（Ｂ）に示すように、同一行目の部分が隣接した２点でマルチタッチｔ１，ｔ２されたと判断され（ステップＳ１（Ｙｅｓ），Ｓ２（Ｙｅｓ））、図５（Ｃ）（Ｄ１）の矢印ｍ１，ｍ２に示すように、その２点のタッチ位置ｔ１，ｔ２がそれぞれ同一行目の左右方向へピンチアウト（２点間を広げる操作）されたと判断されると（ステップＳ３（Ｎｏ），Ｓ４）、前記タッチ位置ｔ１，ｔ２のピンチアウトに伴い選択された文字列の範囲Ｈが識別表示されると共に、その選択範囲Ｈの文字列「わが国の国号。神武天皇建国」がタッチ範囲データメモリ２２ｅに記憶され構文解析処理される（ステップＳ５）。
【００５３】
この構文解析処理では、前記タッチ範囲データメモリ２２ｅに記憶された文字列「わが国の国号。神武天皇建国」について、前記［国語辞書］の見出し語との一致／不一致に基づき分割可能な語句が抽出される。
【００５４】
ここで、分割可能な語句が抽出されたと判断されると（ステップＳ６（Ｙｅｓ））、前記タッチ位置ｔ１，ｔ２のピンチアウトに伴うスライドの速度に応じて分割単位が変更設定され、この設定された分割単位で、図５（Ｄ１）に示すように、分割された各語句ｗ１〜ｗ７それぞれの分割部分に分割記号“／”が挿入されて表示される（ステップＳ７）。
【００５５】
すなわち、具体的には、前記選択範囲Ｈの文字列「わが国の国号。神武天皇建国」に含まれる分割可能な語句の単位ついて、例えば、辞書の見出し語と一致する最小の分割単位は一文字ずつであり、最大の単位は「わが国」「国号」「神武天皇」「建国」となる。そして、前記選択範囲Ｈのピンチアウトに伴うスライドの速度がゆっくりの場合には、図５（Ｄ１）で示したように、小さい方の分割単位で分割された各語句「わが」ｗ１，「国」ｗ２，「の」ｗ３，「国号」ｗ４，「神武」ｗ５，「天皇」ｗ６，「建国」ｗ７間に分割記号“／”が挿入されて表示される。
【００５６】
逆に、前記選択範囲Ｈのピンチアウトに伴うスライドの速度が素早い場合には、図５（Ｄ２）に示すように、大きい方の分割単位で分割された各語句「わが国」ｗ１，「の」ｗ２，「国号」ｗ３，「神武天皇」ｗ４，「建国」ｗ５間に分割記号“／”が挿入されて表示される。
【００５７】
この後、図５（Ｅ）の矢印ｍ１，ｍ２に示すように、ピンチアウトされた２点のタッチ位置ｔ１，ｔ２の何れかが離されたと判断されると（ステップＳ３（Ｙｅｓ））、前記構文解析分割データメモリ２２ｆに語句分割されて記憶された選択範囲Ｈの文字列が確定し、一連の語句分割処理が終了される（リターン）。
【００５８】
図６は、前記電子辞書装置１０の語句分割処理に伴うタッチパネル式表示部１７での表示動作（実施例２）を示す図である。
【００５９】
図６（Ａ）に示すように、前記見出し語「日本」に対応する説明情報の表示画面ＧＳにおいて、検索対象としたい１行目の文字列「神武天皇建国」の範囲Ｈが、隣接しない２点のマルチタッチｔ１，ｔ２により挟まれるように選択されたと判断されると（ステップＳ１（Ｙｅｓ），Ｓ２（Ｎｏ））、その選択範囲Ｈの文字列「神武天皇建国」がタッチ範囲データメモリ２２ｅに記憶され前記同様に構文解析処理される（ステップＳ８）。
【００６０】
ここで、分割可能な語句が抽出されたと判断されると（ステップＳ９（Ｙｅｓ））、図６（Ｂ）に示すように、予め小さい方に設定された分割単位で分割された各語句「神武」ｗ１，「天皇」ｗ２，「建国」ｗ３それぞれの分割部分に分割記号“／”が挿入されて表示される（ステップＳ１０）。
【００６１】
ここで、前記２点のタッチ位置ｔ２，ｔ２の何れかが離れたと判断された場合には（ステップＳ１１（Ｙｅｓ））、この語句分割処理はここで中断される（リターン）。
【００６２】
また、前記２点のタッチ位置ｔ２，ｔ２がピンチアウトされたと判断された場合には（ステップＳ１２（Ｙｅｓ））、当該ピンチアウトに応じたタッチ位置ｔ１，ｔ２に従い、前記同様に選択範囲Ｈの文字列に対する構文解析処理とその分割表示処理が実行される（ステップＳ５〜Ｓ７）。
【００６３】
そして、前記選択範囲Ｈを挟んだ先頭のタッチ位置ｔ１と末尾のタッチ位置ｔ２とが、矢印ｍ１，ｍ２に示すように、近付く方向にピンチイン（２点間を狭める操作）されると（ステップＳ１３）、当該ピンチインのスライドの距離に応じて分割単位が変更設定され、この変更設定された分割単位で分割された各語句ｗ１，ｗ２，…それぞれの分割部分に分割記号“／”が挿入されて表示される（ステップＳ１４）。
【００６４】
具体的には、前記選択範囲Ｈの文字列におけるピンチインの距離が長くなるほど、分割単位が大きく変更されて設定される。
【００６５】
図７は、前記電子辞書装置１０の語句分割処理に伴うタッチパネル式表示部１７での表示動作（実施例３）を示す図である。
【００６６】
図７に示すように、前記見出し語「日本」に対応する説明情報の表示画面ＧＳにおいて、検索対象としたい１行目の文字列「わが国の国号。神武」の範囲Ｈが、矢印ｍに示すように、その先頭から１点のタッチ位置ｔのスライドにより選択されて離されたと判断されると（ステップＳ１（Ｎｏ），Ｓ１５（Ｙｅｓ），Ｓ１６（Ｙｅｓ））、そのタッチ位置ｔの開始と終了との間の選択範囲Ｈの文字列「わが国の国号。神武」がタッチ範囲データメモリ２２ｅに記憶され前記同様に構文解析処理される（ステップＳ１７）。
【００６７】
ここで、分割可能な語句が抽出されたと判断されると（ステップＳ１８（Ｙｅｓ））、前記タッチ位置ｔのスライドの速度に応じて分割単位が変更設定され、この設定された分割単位で分割された各語句「わが国」ｗ１，「国号」ｗ２，「神武」ｗ３それぞれの分割部分に分割記号“／”が挿入されて表示される（ステップＳ１９）。
【００６８】
この場合も前記同様に、スライドの速度がゆっくりの場合には、小さい方の分割単位で分割された各語句間に分割記号“／”が挿入されて表示され、素早い場合には、大きい方の分割単位で分割された各語句間に分割記号“／”が挿入されて表示される。
【００６９】
これにより、テキスト表示画面上で辞書検索の対象としたい複数の語句を含む文字列について、当該文字列の範囲Ｈをピンチアウトによるマルチタッチｔ１，ｔ２、または先頭と末尾を挟んだマルチタッチｔ１，ｔ２、または先頭〜末尾間のシングルタッチｔにより選択するだけで、そのタッチ操作の仕方に応じて簡単に所望の単位で分割した語句を表示させることができる。
【００７０】
（分割語句の統合機能）
図８は、前記電子辞書装置１０の語句統合処理を示すフローチャートである。
【００７１】
図９は、前記電子辞書装置１０の語句統合処理に伴うタッチパネル式表示部１７での表示動作（実施例１）を示す図である。
【００７２】
前記見出し語「日本」の説明情報表示画面ＧＳにおける語句分割処理に従い、例えば図９に示すように、ユーザ選択範囲Ｈの文字列が９つの語句「わが」ｗ１，「国」ｗ２，「の」ｗ３，「国号」ｗ４，「神武」ｗ５，「天皇」ｗ６，「建国」ｗ７，「の」ｗ８，「地」ｗ９に分割されて表示された状態で、「神武天皇」を１つの検索語として辞書検索したい場合に、矢印ｍで示すように、その前方の語句「神武」ｗ５と後方の語句「天皇」ｗ６との分割部分に表示されている分割記号“／”ｂが１点のタッチｔにより指定されたと判断される（ステップＡ１（Ｎｏ），Ａ２（Ｙｅｓ），Ａ３（Ｙｅｓ））。
【００７３】
すると、前記１点のタッチｔにより指定された分割記号“／”ｂが削除され、その前後の語句「神武」ｗ５，「天皇」ｗ６が１つに統合された語句「神武天皇」として表示され、前記構文解析分割データメモリ２２ｆに記憶された選択範囲Ｈの文字列の分割状態が更新される（ステップＡ４）。
【００７４】
図１０は、前記電子辞書装置１０の語句分割処理に伴うタッチパネル式表示部１７での表示動作（実施例２）を示す図である。
【００７５】
図１０（Ａ）に示すように、ユーザ選択範囲Ｈの文字列が９つの語句「わが」ｗ１，「国」ｗ２，「の」ｗ３，「国号」ｗ４，「神武」ｗ５，「天皇」ｗ６，「建国」ｗ７，「の」ｗ８，「地」ｗ９に分割されて表示された状態で、例えばその３番目の語句「の」ｗ３から９番目の語句「地」ｗ９までの分割を解消したい場合に、図１０（Ｂ）（Ｃ）（Ｄ）の矢印ｍ１，ｍ２に示すように、当該３番目の語句「の」ｗ３と９番目の語句「地」ｗ９とがマルチタッチｔ１，ｔ２されたと判断され（ステップＡ１（Ｙｅｓ））、当該各タッチ位置ｔ１，ｔ２が隣接する位置までピンチインされると（ステップＡ５）、同タッチ位置ｔ１，ｔ２が前記各語句ｗ３〜ｗ９を分割している分割記号“／”ｂ１〜ｂ４をそれぞれ横切る毎に（ステップＡ６（Ｙｅｓ））、その分割記号“／”が順次削除される（ステップＡ７）。
【００７６】
そして、図１０（Ｅ）の矢印ｍ１，ｍ２に示すように、ピンチインされた２点のタッチ位置ｔ１，ｔ２の何れかが離れたと判断されると（ステップＡ８（Ｙｅｓ））、前記分割記号“／”ｂ１〜ｂ４が削除され各対応する語句が統合された文字列「わが／国／の国号。神武天皇建国の地」が表示される。これに応じて、前記構文解析分割データメモリ２２ｆに記憶された選択範囲Ｈの文字列の分割状態が更新される。
【００７７】
これにより、前記選択範囲Ｈの文字列に含まれる語句ついて、前記語句分割機能により所望の分割単位で分割された後の状態でも、簡単且つ自在に所望の分割部分の分割記号“／”を削除して、その前後に分割されていた各語句を統合できる。
【００７８】
（単語検索機能）
図１１は、前記電子辞書装置１０の単語検索処理を示すフローチャートである。
【００７９】
図１２は、前記電子辞書装置１０の単語検索処理に伴うタッチパネル式表示部１７での表示動作（実施例１）を示す図である。
【００８０】
前記見出し語「日本」の説明情報表示画面ＧＳにおける語句分割処理に従い、例えば図１２（Ａ）に示すように、ユーザ選択範囲Ｈの文字列が複数の語句「わが／国／の／国号。神武／天皇／建国／の地」に分割されて表示された状態で、そのうちの１つの語句「神武」について辞書検索したい場合に、図１２（Ｂ）に示すように、当該所望の語句「神武」ｗの部分がマルチタッチｔ１，ｔ２され（ステップＢ１，Ｂ２（Ｙｅｓ））、そのタッチ位置ｔ１，ｔ２が隣接していると判断されると（ステップＢ３（Ｙｅｓ））、タッチされた部分の文字列（語句「神武」）が解析され（ステップＢ４）、同タッチされた部分が分割記号“／”ではないと判断される（ステップＢ５（Ｎｏ））。
【００８１】
そして、図１２（Ｃ）の矢印ｍ１，ｍ２に示すように、前記所望の語句「神武」ｗに対する２点のタッチ位置ｔ１，ｔ２が、それぞれ上と下とにスライドされたと判断されると（ステップＢ６（Ｙｅｓ））、当該語句（単語）「神武」ｗが検索語データメモリ２２ｇに検索語として記憶され、前記［国語辞書］の辞書データから見出し語検索される。そして、検索された見出し語「神武」とその説明情報が検索結果データメモリ２２ｈに記憶され、図１２（Ｄ）に示すように、説明情報表示画面ＧＳとしてタッチパネル式表示部１７に表示される（ステップＢ７）。
【００８２】
これにより、所望の分割単位に分割して表示させた語句を対象に、当該語句（単語）をマルチタッチｔ１，ｔ２して上下に開くという非常に簡単且つ自然な操作で、対象の語句の辞書検索された説明情報を直ちに開いて表示させることができる。
【００８３】
図１３は、前記電子辞書装置１０の単語検索処理に伴うタッチパネル式表示部１７での表示動作（実施例２）を示す図である。
【００８４】
前記見出し語「日本」の説明情報表示画面ＧＳにおける語句分割処理に従い、例えば図１３（Ａ）に示すように、ユーザ選択範囲Ｈの文字列が複数の語句「わが／国／の／国号。神武／天皇／建国／の地」に分割されて表示された状態で、そのうちの隣接する２つの語句「神武」ｗ１，「天皇」ｗ２について辞書検索したい場合に、図１３（Ｂ）に示すように、当該所望の２つの語句「神武」ｗ１と「天皇」ｗ２とを分割する分割記号“／”ｂの部分がマルチタッチｔ１，ｔ２され（ステップＢ１，Ｂ２（Ｙｅｓ））、そのタッチ位置ｔ１，ｔ２が隣接していると判断されると（ステップＢ３（Ｙｅｓ））、タッチされた部分の文字列（“／”）が解析され（ステップＢ４）、同タッチされた部分が分割記号“／”であると判断される（ステップＢ５（Ｙｅｓ））。
【００８５】
そして、図１３（Ｃ）の矢印ｍ１，ｍ２に示すように、前記所望の２つの語句「神武」ｗ１と「天皇」ｗ２との分割記号“／”ｂに対する２点のタッチ位置ｔ１，ｔ２が、それぞれ上と下とにスライドされたと判断されると（ステップＢ８（Ｙｅｓ））、当該２つの語句（単語）「神武」ｗ１と「天皇」ｗ２とがそれぞれ検索語データメモリ２２ｇに検索語として記憶され、前記［国語辞書］の辞書データから見出し語検索される。そして、検索された見出し語「神武」と「天皇」とそのそれぞれの説明情報が検索結果データメモリ２２ｈに記憶され、図１３（Ｄ）に示すように、前記マルチタッチｔ１，ｔ２の上下方向へのスライドに対応させて上下分割した見出し語「神武」の説明情報表示画面ＧＳ１と見出し語「天皇」の説明情報表示画面ＧＳ２としてタッチパネル式表示部１７に表示される（ステップＢ９）。
【００８６】
これにより、所望の分割単位に分割して表示させた語句のうちで、隣接する２つの語句を対象に、その分割記号“／”をマルチタッチｔ１，ｔ２して上下に開くという非常に簡単且つ自然な操作で、対象の２つの語句の辞書検索された各説明情報を直ちに開いて、上下分割した各説明情報表示画面ＧＳ１，ＧＳ２に表示させることができる。
【００８７】
図１４は、前記電子辞書装置１０の単語検索処理に伴うタッチパネル式表示部１７での表示動作（実施例３−１）を示す図である。
【００８８】
図１５は、前記電子辞書装置１０の単語検索処理に伴うタッチパネル式表示部１７での表示動作（実施例３−２）を示す図である。
【００８９】
前記見出し語「日本」の説明情報表示画面ＧＳにおける語句分割処理に従い、例えば図１４（Ａ）に示すように、ユーザ選択範囲Ｈの文字列が複数の語句「わが／国／の／国号。神武／天皇／建国／の地」に分割されて表示された状態で、そのうちの隣接する４つの語句「国号」ｗ１，「神武」ｗ２，「天皇」ｗ３，「建国」ｗ４について辞書検索したい場合に、図１４（Ｂ）（Ｃ）の矢印ｍに示すように、当該隣接する４つの語句ｗ１，ｗ２，ｗ３，ｗ４が左（先頭語句）から右（末尾語句）の方向にタッチｔされスライドされていると判断されると（ステップＢ１，Ｂ２（Ｎｏ），Ｂ１０（Ｎｏ），Ｂ１１（Ｙｅｓ））、そのタッチ位置ｔがスライドされている部分に分割された語句があるか否かが判断される（ステップＢ１２）。
【００９０】
ここで、図１４（Ｃ）（Ｄ）の矢印ｍに示すように、前記タッチ位置ｔの左から右へのスライドに応じて、当該スライド部分に分割された語句「国号」ｗ１，「神武」ｗ２，「天皇」ｗ３，「建国」ｗ４があることが判断されると（ステップＢ１２（Ｙｅｓ））、そのタッチ位置ｔのスライド順に判断された４つの語句ｗ１，ｗ２，ｗ３，ｗ４が順番に検索対象として検知される（ステップＢ１３）。
【００９１】
そして、前記タッチ位置ｔのスライド順に検知された各語句「国号」ｗ１，「神武」ｗ２，「天皇」ｗ３，「建国」ｗ４が順番に検索語データメモリ２２ｇに記憶され、前記［国語辞書］の辞書データから見出し語検索される。そして、順次検索されて行く見出し語「国号」「神武」「天皇」「建国」とそのそれぞれの説明情報が検索結果データメモリ２２ｈに記憶される毎に、図１４（Ｄ）（Ｅ）に示すように、左右に配列した各見出し語「国号」「神武」「天皇」「建国」それぞれの説明情報表示画面（ウインドウ）ＧＳ１，ＧＳ２，ＧＳ３，ＧＳ４としてタッチパネル式表示部１７に表示される（ステップＢ１４）。
【００９２】
一方、図１５（Ａ）（Ｂ）の矢印ｍに示すように、前記見出し語「日本」の説明情報表示画面ＧＳにて分割されて表示された４つの語句「国号」ｗ１，「神武」ｗ２，「天皇」ｗ３，「建国」ｗ４について、前記説明とは逆に、右（末尾語句）から左（先頭語句）の方向にタッチｔされスライドされていると判断された場合には（ステップＢ１１（Ｙｅｓ））、当該スライド順に判断された４つの語句ｗ４，ｗ３，ｗ２，ｗ１が順番に検索対象として検知される（ステップＢ１２（Ｙｅｓ），Ｂ１３）。
【００９３】
そして、前記タッチ位置ｔのスライド順に検知された各語句「建国」ｗ４，「天皇」ｗ３，「神武」ｗ２，「国号」ｗ１が順番に検索語データメモリ２２ｇに記憶され、前記［国語辞書］の辞書データから見出し語検索される。そして、順次検索されて行く見出し語「建国」「天皇」「神武」「国号」とそのそれぞれの説明情報が検索結果データメモリ２２ｈに記憶される毎に、図１５（Ｂ）に示すように、左右に配列した各見出し語「建国」「天皇」「神武」「国号」それぞれの説明情報表示画面（ウインドウ）ＧＳ４，ＧＳ３，ＧＳ２，ＧＳ１としてタッチパネル式表示部１７に表示される（ステップＢ１４）。
【００９４】
これにより、所望の分割単位に分割して表示させた語句のうちで、隣接する３つ以上の語句を対象に、その先頭の語句または末尾の語句から順番にタッチしそのタッチ位置ｔをスライドして行くという非常に簡単且つ自然な操作で、対象の各語句の辞書検索された各説明情報を順次に開いて配列した各説明情報表示画面ＧＳ１，ＧＳ２，ＧＳ３，…に表示させることができる。
【００９５】
なお、前記分割された各語句ｗ１，ｗ２，ｗ３，…に対するタッチ位置ｔがスライドされたと判断される前に、当該タッチ位置ｔが離れたと判断された場合は（ステップＢ１０（Ｙｅｓ））、この単語検索処理は中断される（リターン）。
【００９６】
図１６は、前記電子辞書装置１０の単語検索処理に伴うタッチパネル式表示部１７での表示動作（実施例４−１）を示す図である。
【００９７】
図１７は、前記電子辞書装置１０の単語検索処理に伴うタッチパネル式表示部１７での表示動作（実施例４−２）を示す図である。
【００９８】
前記見出し語「日本」の説明情報表示画面ＧＳにおける語句分割処理に従い、例えば図１６（Ａ）に示すように、ユーザ選択範囲Ｈの文字列が複数の語句「わが／国の／国号。神武／天皇／建国／の地」に分割されて表示された状態で、そのうちの隣接する４つの語句「国号」ｗ１，「神武」ｗ２，「天皇」ｗ３，「建国」ｗ４について辞書検索したい場合に、図１６（Ｂ）の矢印ｍ１，ｍ２に示すように、当該隣接する４つの語句ｗ１，ｗ２，ｗ３，ｗ４が挟まれるようにマルチタッチｔ１，ｔ２され、各タッチ位置ｔ１，ｔ２が上方にスライドされたと判断されると（ステップＢ１，Ｂ２（Ｙｅｓ），Ｂ３（Ｎｏ），Ｂ１５（Ｎｏ），Ｂ１６（Ｙｅｓ））、そのタッチ位置ｔ１とｔ２との間に存在した各語句「国号」ｗ１，「神武」ｗ２，「天皇」ｗ３，「建国」ｗ４がそれぞれ検索語データメモリ２２ｇに記憶され、前記［国語辞書］の辞書データから見出し語検索される（ステップＢ１７）。
【００９９】
そして、見出し語検索された各見出し語「国号」「神武」「天皇」「建国」とそのそれぞれの説明情報が検索結果データメモリ２２ｈに記憶され、図１６（Ｃ）に示すように、前記マルチタッチｔ１，ｔ２の上方向へのスライドに対応させた表示画面の上部に、前記各語句ｗ１〜ｗ４の並びに合わせて配列した各見出し語「国号」「神武」「天皇」「建国」それぞれの説明情報表示画面（ウインドウ）ＧＳ１，ＧＳ２，ＧＳ３，ＧＳ４としてタッチパネル式表示部１７に表示される（ステップＢ１７）。
【０１００】
この際、表示画面の下部に表示される前記見出し語「日本」の説明情報表示画面ＧＳでは、前記検索対象とされた各語句ｗ１〜ｗ４が存在する行以降の説明情報が表示可能な範囲で表示される。
【０１０１】
一方、図１７（Ａ）に示すように、ユーザ選択範囲Ｈの文字列が複数の語句「わが／国の／国号。神武／天皇／建国／の地」に分割されて表示された状態で、そのうちの隣接する４つの語句「国号」ｗ１，「神武」ｗ２，「天皇」ｗ３，「建国」ｗ４について辞書検索したい場合に、矢印ｍ１，ｍ２に示すように、当該隣接する４つの語句ｗ１，ｗ２，ｗ３，ｗ４が挟まれるようにマルチタッチｔ１，ｔ２され、各タッチ位置ｔ１，ｔ２が下方にスライドされたと判断されると（ステップＢ１，Ｂ２（Ｙｅｓ），Ｂ３（Ｎｏ），Ｂ１５（Ｎｏ），Ｂ１６（Ｙｅｓ））、そのタッチ位置ｔ１とｔ２との間に存在した各語句「国号」ｗ１，「神武」ｗ２，「天皇」ｗ３，「建国」ｗ４がそれぞれ検索語データメモリ２２ｇに記憶され、前記［国語辞書］の辞書データから見出し語検索される（ステップＢ１７）。
【０１０２】
そして、見出し語検索された各見出し語「国号」「神武」「天皇」「建国」とそのそれぞれの説明情報が検索結果データメモリ２２ｈに記憶され、図１７（Ｂ）に示すように、前記マルチタッチｔ１，ｔ２の下方向へのスライドに対応させた表示画面の下部に、前記各語句ｗ１〜ｗ４の並びに合わせて配列した各見出し語「国号」「神武」「天皇」「建国」それぞれの説明情報表示画面（ウインドウ）ＧＳ１，ＧＳ２，ＧＳ３，ＧＳ４としてタッチパネル式表示部１７に表示される（ステップＢ１７）。
【０１０３】
この際、表示画面の上部に表示される前記見出し語「日本」の説明情報表示画面ＧＳでは、前記検索対象とされた各語句ｗ１〜ｗ４が存在する行までの説明情報が表示される。
【０１０４】
これにより、所望の分割単位に分割して表示させた語句のうちで、隣接する３つ以上の語句を対象に、その先頭の語句から末尾の語句までを挟んでマルチタッチしそのタッチ位置ｔ１，ｔ２を上方または下方へスライドするという非常に簡単且つ自然な操作で、対象の各語句の辞書検索された各説明情報を、そのスライド方向の表示領域に開いて配列した各説明情報表示画面ＧＳ１，ＧＳ２，ＧＳ３，…に表示させることができる。
【０１０５】
したがって、前記構成の電子辞書装置１０のテキスト表示画面上での範囲指定に伴う語句分割機能によれば、検索対象としたい語句が含まれるテキストの範囲がユーザ操作に応じて選択されると、当該選択範囲Ｈの文字列が構文解析され、辞書の見出し語として存在する語句の単位に分割されて表示される。この際、前記選択範囲Ｈをその範囲内でマルチタッチした各タッチ位置ｔ１，ｔ２をピンチアウトして広げた範囲として選択した場合には、そのピンチアウトのスライドの速度に応じて、ゆっくりの場合には前記構文解析に伴う語句の分割単位が小さく設定されて分割され、素早い場合には逆に大きく設定されて分割される。
【０１０６】
また、前記選択範囲Ｈをその先頭と末尾を挟むようにマルチタッチして選択した後に、各タッチ位置ｔ１，ｔ２をピンチインして近付けた場合には、そのピンチインのスライドの距離が長くなればなるほど、前記構文解析に伴う語句の分割単位が小さい単位から大きい単位へと変更設定されて分割される。
【０１０７】
さらに、前記選択範囲Ｈをその先頭から末尾までシングルタッチしたタッチ位置ｔをスライドすることで選択した場合には、そのタッチ位置ｔのスライドの速度に応じて、ゆっくりの場合には前記構文解析に伴う語句の分割単位が小さく設定されて分割され、素早い場合には逆に大きく設定されて分割される。
【０１０８】
これにより、テキスト表示画面上で辞書検索の対象としたい複数の語句を含む文字列について、当該文字列の範囲Ｈをピンチアウトによるマルチタッチｔ１，ｔ２、または先頭と末尾を挟んだマルチタッチｔ１，ｔ２、または先頭〜末尾間のシングルタッチｔにより選択するだけで、そのタッチ操作の仕方に応じて簡単に所望の単位で分割した語句を表示させることができる。
【０１０９】
また、前記構成の電子辞書装置１０の語句分割機能により分割された語句を対象とする単語検索機能によれば、所望の語句ｗを隣接した２点でマルチタッチｔ１，ｔ２し、そのタッチ位置ｔ１，ｔ２をそれぞれ上と下とに開いてスライドさせると、前記マルチタッチｔ１，ｔ２された所望の語句（単語）ｗが検索語とされて見出し語検索され、その説明情報の表示画面ＧＳが表示される。
【０１１０】
また、所望の隣接する２つの語句ｗ１，ｗ２間の分割記号“／”を隣接した２点でマルチタッチｔ１，ｔ２し、そのタッチ位置ｔ１，ｔ２をそれぞれ上と下とに開いてスライドさせると、前記マルチタッチｔ１，ｔ２された分割記号“／”の前後の各語句（単語）ｗ１，ｗ２がそれぞれ検索語とされて見出し語検索され、そのそれぞれの説明情報の表示画面ＧＳ１，ＧＳ２が画面分割されて表示される。
【０１１１】
さらに、所望の隣接する３つ以上の語句ｗ１，ｗ２，ｗ３，…の範囲をシングルタッチしてスライドさせると、タッチ位置ｔのスライドに応じて前記各語句ｗ１，ｗ２，ｗ３，…が順次検索語とされて見出し語検索され、そのそれぞれの説明情報の表示画面ＧＳ１，ＧＳ２，ＧＳ３，…がスライド方向に沿って順番に配列されて表示される。
【０１１２】
さらにまた、所望の隣接する３つ以上の語句ｗ１，ｗ２，ｗ３，…の範囲を挟むようにマルチタッチｔ１，ｔ２して上または下にスライドさせると、マルチタッチｔ１，ｔ２された範囲内の各語句ｗ１，ｗ２，ｗ３，…が検索語とされて見出し語検索され、そのそれぞれの説明情報の表示画面ＧＳ１，ＧＳ２，ＧＳ３，…が前記スライドの方向に対応した画面上部または画面下部に配列されて表示される。
【０１１３】
これにより、所望の分割単位に分割して表示させた語句のうちで、所望の１つあるいは複数の語句をタッチ操作により指定しそのタッチ位置をスライドするという非常に簡単且つ自然な操作で、当該所望の語句の辞書検索された説明情報の表示画面を直ちに表示させることができる。
【０１１４】
なお、前記各実施形態において記載した電子辞書装置１０による各処理の手法およびデータベース、すなわち、図４のフローチャートに示す語句分割処理、図８のフローチャートに示す語句統合処理、図１１のフローチャートに示す単語検索処理等の各手法、および辞書データベース２２ｂは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体２３に格納して配布することができる。そして、タッチパネル式表示部１７を備えた電子機器のコンピュータは、この外部記録媒体２３に記憶されたプログラムをメモリ２２に読み込み、この読み込んだプログラムによって動作が制御されることにより、前記各実施形態において説明したテキスト表示画面上での範囲指定に伴う語句分割機能、語句統合機能、単語（語句）検索機能を実現し、前述した手法による同様の処理を実行することができる。
【０１１５】
また、前記各手法を実現するためのプログラムのデータは、プログラムコードの形態としてネットワークＮ上を伝送させることができ、このプログラムデータを、ネットワークＮに接続されたタッチパネル式表示部１７を備える電子機器のコンピュータに通信部２５によって取り込むことで、前述したテキスト表示画面上での範囲指定に伴う語句分割機能、語句統合機能、単語（語句）検索機能を実現することもできる。
【０１１６】
また、前記実施形態では、本発明の辞書検索装置を、電子辞書専用の携帯機器（電子辞書装置１０）、辞書機能を備えたタッチパネル式ＰＤＡ１０Ｔ、ＰＣ、携帯電話、電子ブック、携帯ゲーム機等の電子機器単体にて実現する場合として説明した。
【０１１７】
これに対し、ネットワークＮ上のＷｅｂサーバ（辞書サーバ）３１に、前述した辞書データベース２２ｂと情報表示制御プログラム２２ａに基づく語句分割機能、語句統合機能、単語検索機能を持たせ、当該Ｗｅｂサーバ（辞書サーバ）３１にタッチパネル式表示部１７を備えた端末装置からアクセスし、テキスト表示画面（ＧＴ，ＧＳ）上でのユーザ操作に応じたタッチ位置ｔ１，ｔ２，…の検出情報とこれに伴い指定された語句情報を送信することで、前記同様に選択範囲Ｈの語句を任意の単位で分割しその分割結果を受信して表示させたり、また分割された語句の統合結果を受信して表示させたり、さらには分割された語句の辞書検索結果を受信して表示させたりする構成としてもよい。
【０１１８】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組合せにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１１９】
以下に、本願出願の当初の特許請求の範囲に記載された発明を付記する。
【０１２０】
［１］
表示部と、
見出し語と当該見出し語の説明情報とを対応付けた辞書データを記憶している辞書記憶手段と、
前記表示部にテキストを表示させるテキスト表示制御手段と、
このテキスト表示制御手段により表示されたテキストの任意の範囲をユーザ操作に応じて選択するテキスト範囲選択手段と、
このテキスト範囲選択手段により任意の範囲のテキストが選択された際に、その選択の仕方を判断する選択仕方判断手段と、
前記テキスト範囲選択手段により選択された範囲のテキストを前記選択仕方判断手段により判断された選択の仕方に応じた分割単位の語句に分割して表示させる語句分割表示制御手段と、
この語句分割表示制御手段により分割されて表示された語句のうち任意の語句をユーザ操作に応じて指定する分割語句指定手段と、
この分割語句指定手段により指定された語句を見出し語とする説明情報を前記辞書データから検索し前記表示部に表示させる辞書検索表示制御手段と、
を備えたことを特徴とする辞書検索装置。
【０１２１】
［２］
前記表示部はタッチパネル式の表示部であって、
前記選択仕方判断手段により判断される選択の仕方は、前記タッチパネルにより検出されるタッチ位置とそのスライドの範囲に応じて判断し、
前記語句の分割単位は、前記スライドの速度に応じて設定される、
ことを特徴とする［１］に記載の辞書検索装置。
【０１２２】
［３］
前記タッチ位置は、マルチタッチのピンチアウトに伴う２点のタッチ位置を含み、
前記スライドの範囲は、当該２点間の範囲を含み、
前記スライドの速度は、前記２点のタッチ位置のピンチアウトに伴うスライドの速度を含む、
ことを特徴とする［２］に記載の辞書検索装置。
【０１２３】
［４］
前記タッチ位置は、シングルタッチに伴う１点のタッチ位置を含み、
前記スライドの範囲は、当該１点のスライド開始位置から終了位置までの範囲を含み、
前記スライドの速度は、前記１点のタッチ位置のスライドの速度を含む、
ことを特徴とする［２］または［３］に記載の辞書検索装置。
【０１２４】
［５］
前記表示部はタッチパネル式の表示部であって、
前記選択仕方判断手段により判断される選択の仕方は、前記タッチパネルにより検出されるマルチタッチに伴う２点のタッチ位置とそこからのピンチインに伴うスライドに応じて判断し、
前記語句の分割単位は、前記ピンチインに伴うスライドの距離に応じて設定される、
ことを特徴とする［１］に記載の辞書検索装置。
【０１２５】
［６］
前記分割語句指定手段により前記分割された語句のうち任意の語句がユーザ操作に応じて指定された際に、その指定の仕方を判断する指定仕方判断手段を備え、
前記辞書検索表示制御手段は、前記分割語句指定手段により指定された語句を見出し語とする説明情報を前記辞書データから検索し、前記指定仕方判断手段により判断された当該語句の指定の仕方に応じた表示態様で前記表示部に表示させる、
ことを特徴とする［１］に記載の辞書検索装置。
【０１２６】
［７］
前記分割語句指定手段により前記分割された語句のうち任意の語句がユーザ操作に応じて指定された際に、その指定の仕方を判断する指定仕方判断手段を備え、
前記辞書検索表示制御手段は、前記分割語句指定手段により指定された語句を見出し語とする説明情報を前記辞書データから検索し、前記指定仕方判断手段により判断された当該語句の指定の仕方に応じた表示態様で前記表示部に表示させる、
ことを特徴とする［２］ないし［５］の何れかに記載の辞書検索装置。
【０１２７】
［８］
前記指定仕方判断手段は、前記タッチパネルにより検出されるマルチタッチに伴う２点の隣接したタッチ位置が、前記分割された語句のうち何れかの語句に対応する位置でそれぞれ反対の方向にスライドされたかを判断する第１の判断手段を有し、
前記辞書検索表示制御手段は、前記第１の判断手段により前記２点の隣接したタッチ位置が、前記分割された語句のうち何れかの語句に対応する位置でそれぞれ反対の方向にスライドされたと判断された場合に、当該２点の隣接したタッチ位置に対応して指定された語句を見出し語とする説明情報を前記辞書データから検索し前記表示部に表示させる、
ことを特徴とする［７］に記載の辞書検索装置。
【０１２８】
［９］
前記指定仕方判断手段は、前記タッチパネルにより検出されるマルチタッチに伴う２点の隣接したタッチ位置が、前記分割された語句のうち何れか隣接する２つの語句の分割部分に対応する位置でそれぞれ反対の方向にスライドされたかを判断する第２の判断手段を有し、
前記辞書検索表示制御手段は、前記第２の判断手段により前記２点の隣接したタッチ位置が、前記分割された語句のうち何れか隣接する２つの語句の分割部分に対応する位置でそれぞれ反対の方向にスライドされたと判断された場合に、当該２つの語句のそれぞれを見出し語とする２つの説明情報を前記辞書データから検索し、前記表示部の２つの領域に表示させる、
ことを特徴とする［７］または［８］に記載の辞書検索装置。
【０１２９】
［１０］
前記指定仕方判断手段は、前記タッチパネルにより検出されるシングルタッチに伴う１点のタッチ位置が、前記分割された語句のうち連続する複数の語句に対応する範囲でスライドされたかを判断する第３の判断手段を有し、
前記辞書検索表示制御手段は、前記第３の判断手段により前記１点のタッチ位置が、前記分割された語句のうち連続する複数の語句に対応する範囲でスライドされたと判断された場合に、当該複数の語句のそれぞれを見出し語とする複数の説明情報を前記辞書データから検索し、前記表示部の複数の領域に表示させる、
ことを特徴とする［７］ないし［９］の何れかに記載の辞書検索装置。
【０１３０】
［１１］
前記指定仕方判断手段は、前記タッチパネルにより検出されるマルチタッチに伴う２点のタッチ位置が、前記分割された語句のうち連続する複数の語句を挟んだ位置から一方または他方にスライドされたかを判断する第４の判断手段を有し、
前記辞書検索表示制御手段は、前記第４の判断手段により前記２点のタッチ位置が、前記分割された語句のうち連続する複数の語句を挟んだ位置から一方または他方にスライドされたと判断された場合に、当該複数の語句のそれぞれを見出し語とする複数の説明情報を前記辞書データから検索し、前記表示部の一方または他方に開いた複数の領域に表示させる、
ことを特徴とする［７］ないし［１０］の何れかに記載の辞書検索装置。
【０１３１】
［１２］
表示部と、見出し語と当該見出し語の説明情報とを対応付けた辞書データを記憶しているメモリと、を備えた電子機器のコンピュータを制御するための辞書検索方法であって、
前記表示部にテキストを表示させ、
この表示部に表示されたテキストの任意の範囲をユーザ操作に応じて選択させ、
この任意の範囲のテキストが選択された際に、その選択の仕方を判断し、
前記選択された範囲のテキストを前記選択の仕方に応じた分割単位の語句に分割して表示させ、
この分割されて表示された語句のうち任意の語句をユーザ操作に応じて指定させ、
この指定された語句を見出し語とする説明情報を前記辞書データから検索し前記表示部に表示させること、
からなる辞書検索方法。
【０１３２】
［１３］
表示部を備えた電子機器のコンピュータを制御するためのプログラムであって、
前記コンピュータを、
見出し語と当該見出し語の説明情報とを対応付けた辞書データをメモリに記憶させる辞書記憶手段、
前記表示部にテキストを表示させるテキスト表示制御手段、
このテキスト表示制御手段により表示されたテキストの任意の範囲をユーザ操作に応じて選択するテキスト範囲選択手段、
このテキスト範囲選択手段により任意の範囲のテキストが選択された際に、その選択の仕方を判断する選択仕方判断手段、
前記テキスト範囲選択手段により選択された範囲のテキストを前記選択仕方判断手段により判断された選択の仕方に応じた分割単位の語句に分割して表示させる語句分割表示制御手段、
この語句分割表示制御手段により分割されて表示された語句のうち任意の語句をユーザ操作に応じて指定する分割語句指定手段、
この分割語句指定手段により指定された語句を見出し語とする説明情報を前記辞書データから検索し前記表示部に表示させる辞書検索表示制御手段、
として機能させるための辞書検索プログラム。
【０１３３】
［１４］
ネットワークを介した通信機能を有するサーバ装置と端末装置からなる辞書検索システムであって、
前記サーバ装置は、
見出し語と当該見出し語の説明情報とを対応付けた辞書データを記憶している辞書記憶手段と、
前記端末装置からユーザ操作に応じて指定された語句の情報を受信する語句情報受信手段と、
この語句情報受信手段により受信された語句を見出し語とする説明情報を前記辞書データから検索し前記端末装置へ送信する検索情報送信手段とを備え、
前記端末装置は、
表示部と、
この表示部にテキストを表示させるテキスト表示制御手段と、
このテキスト表示制御手段により表示されたテキストの任意の範囲をユーザ操作に応じて選択するテキスト範囲選択手段と、
このテキスト範囲選択手段により任意の範囲のテキストが選択された際に、その選択の仕方を判断する選択仕方判断手段と、
前記テキスト範囲選択手段により選択された範囲のテキストを、前記選択仕方判断手段により判断された選択の仕方に応じた分割単位の語句に分割して表示させる語句分割表示制御手段と、
この語句分割表示制御手段により分割されて表示された語句のうち任意の語句をユーザ操作に応じて指定する分割語句指定手段と、
この分割語句指定手段により指定された語句の情報を前記サーバ装置へ送信する語句情報送信手段と、
この語句情報送信手段による前記指定された語句の情報の前記サーバ装置への送信に応答して、当該サーバ装置の検索情報送信手段により送信された当該語句を見出し語とする説明情報を受信し、前記表示部に表示させる検索情報表示制御手段とを備えた、
ことを特徴とする辞書検索システム。
【０１３４】
［１５］
［１４］に記載の辞書検索システムのサーバ装置。
【０１３５】
［１６］
［１４］に記載の辞書検索システムの端末装置。
【０１３６】
［１７］
ネットワークを介した通信機能を有するサーバ装置と端末装置からなる辞書検索システムであって、
前記サーバ装置は、
見出し語と当該見出し語の説明情報とを対応付けた辞書データを記憶している辞書記憶手段と、
前記端末装置のユーザ操作に応じて選択されたテキストの情報を受信するテキスト情報受信手段と、
このテキスト情報受信手段により前記ユーザ操作に応じて選択されたテキストの情報が受信された際に、当該ユーザ操作に応じた選択の仕方の情報を受信する選択仕方情報受信手段と、
前記テキスト情報受信手段により受信されたテキストを前記選択仕方情報受信手段により受信された当該テキストの選択の仕方に応じた分割単位の語句に分割する語句分割制御手段と、
この語句分割制御手段により分割されたテキストの分割情報を前記端末装置へ送信する分割情報送信手段と、
この分割情報送信手段により前記テキストの分割情報を送信した後に、前記端末装置からユーザ操作に応じて指定された語句の情報を受信する語句情報受信手段と、
この語句情報受信手段により受信された語句を見出し語とする説明情報を前記辞書データから検索し前記端末装置へ送信する検索情報送信手段とを備え、
前記端末装置は、
表示部と、
この表示部にテキストを表示させるテキスト表示制御手段と、
このテキスト表示制御手段により表示されたテキストの任意の範囲をユーザ操作に応じて選択するテキスト範囲選択手段と、
このテキスト範囲選択手段により任意の範囲のテキストが選択された際に、その選択されたテキストの情報と当該選択の仕方の情報を前記サーバ装置へ送信するテキスト選択情報送信手段と、
このテキスト選択情報送信手段による前記選択されたテキストの情報と選択の仕方の情報の前記サーバ装置への送信に応答して、当該サーバ装置の分割情報送信手段により送信された前記テキストの分割情報を受信する分割情報受信手段と、
この分割情報受信手段により受信されたテキストの分割情報に応じて、前記テキスト範囲選択手段により選択された範囲のテキストを複数の語句に分割して表示させる語句分割表示制御手段と、
この語句分割表示制御手段により分割されて表示された語句のうち任意の語句をユーザ操作に応じて指定する分割語句指定手段と、
この分割語句指定手段により指定された語句の情報を前記サーバ装置へ送信する語句情報送信手段と、
この語句情報送信手段による前記指定された語句の情報の前記サーバ装置への送信に応答して、当該サーバ装置の検索情報送信手段により送信された当該語句を見出し語とする説明情報を受信し、前記表示部に表示させる検索情報表示制御手段とを備えた、
ことを特徴とする辞書検索システム。
【符号の説明】
【０１３７】
１０  …電子辞書装置
１０Ｔ…タッチパネル式ＰＤＡ
１１  …本体ケース
１２  …蓋体ケース
１３  …ヒンジ部
１４  …キー入力部（キーボード）
１４ａ…文字入力キー
１４ｂ…辞書指定キー
１４ｃ…［訳／決定］キー
１４ｄ…［戻る／リスト］キー
１４ｅ…カーソルキー
１４ｆ…［ジャンプ］キー
１５  …スピーカ
１６  …手書き入力部（サブ画面）
１６ｄ…液晶表示画面
１６ｔ…透明タッチパネル
１７  …タッチパネル式カラー表示部（メイン画面）
１７ｄ…カラー液晶表示画面
１７ｔ…透明タッチパネル
２１  …ＣＰＵ
２２  …メモリ
２２ａ…情報表示制御プログラム
２２ｂ…辞書データベース
２２ｃ…テキストデータベース
２２ｄ…タッチ位置データメモリ
２２ｅ…タッチ範囲データメモリ
２２ｆ…構文解析分割データメモリ
２２ｇ…検索語データメモリ
２２ｈ…検索結果データメモリ
２３  …外部記録媒体
２４  …記録媒体読取部
２５  …通信部
３０  …Ｗｅｂサーバ（プログラム）
３１  …Ｗｅｂサーバ（辞書）
ＧＳ  …説明情報表示画面
ＧＳｗ…説明情報表示ウインドウ
Ｈ    …ユーザ選択範囲
ｔｎ  …タッチ位置
ｍｎ  …タッチ位置のスライド
ｗｎ  …分割された語句
ｂ    …分割記号“／”
【図１】
2014130431.tif 000003
【図２】
2014130431.tif 000004
【図３】
2014130431.tif 000005
【図４】
2014130431.tif 000006
【図５】
2014130431.tif 000007
【図６】
2014130431.tif 000008
【図７】
2014130431.tif 000009
【図８】
2014130431.tif 000010
【図９】
2014130431.tif 000011
【図１０】
2014130431.tif 000012
【図１１】
2014130431.tif 000013
【図１２】
2014130431.tif 000014
【図１３】
2014130431.tif 000015
【図１４】
2014130431.tif 000016
【図１５】
2014130431.tif 000017
【図１６】
2014130431.tif 000018
【図１７】
2014130431.tif 000019